(57)【特許請求の範囲】
【請求項１】
肛門から大腸内視鏡を挿入して行われる大腸内視鏡検査の際に仰臥位となった受検者の下腿を支える大腸内視鏡検査用下腿載置台であって、ベース部と、受検者の下腿を下方から支持する下腿載置部と、この下腿載置部をベース部に対して移動可能に支持する支持部とを具備しており、前記支持部は下腿載置部の中心から外れており、前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっていることを特徴とする大腸内視鏡検査用下腿載置台。
【請求項２】
肛門から大腸内視鏡を挿入して行われる大腸内視鏡検査の際に仰臥位となった受検者の下腿を支える大腸内視鏡検査用下腿載置台であって、ベース部と、受検者の下腿を下方から支持する下腿載置部と、この下腿載置部をベース部に支持する支持部とを具備しており、前記支持部は下腿載置部の中心から外れており、大腸内視鏡検査用下腿載置台の外側に向かって光を発する発光部が設けられていることを特徴とする大腸内視鏡検査用下腿載置台。
【請求項３】
前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっていることを特徴とする請求項２記載の大腸内視鏡検査用下腿載置台。
【請求項４】
前記支持部は、ベース部に立設されており、下腿載置部は支持部を中心として退避位置と検査位置との間を水平に回動可能になっていることを特徴とする請求項１又は３記載の大腸内視鏡検査用下腿載置台。
【請求項５】
前記支持部は、ベース部に立設されており、下腿載置部は支持部とヒンジ結合されており、退避位置と検査位置との間を回動可能になっていることを特徴とする請求項１又は３記載の大腸内視鏡検査用下腿載置台。
【請求項６】
前記支持部は、伸縮可能でベース部に設けられており、前記下腿載置部は退避位置と検査位置との間を上下動することを特徴とする請求項１又は３記載の大腸内視鏡検査用下腿載置台。
【請求項７】
肛門から大腸内視鏡を挿入して行われる大腸内視鏡検査の際に受検者が横たわる大腸内視鏡検査用ベッドにおいて、受検者が横たわる本体部と、受検者の下腿を下方から支持する下腿載置部と、この下腿載置部を本体部に対して移動可能に支持する支持部とを具備しており、前記支持部は下腿載置部の中心から外れており、前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっており、前記下腿載置部は退避位置では本体部と面一になることを特徴とする大腸内視鏡検査用ベッド。
【請求項８】
肛門から大腸内視鏡を挿入して行われる大腸内視鏡検査の際に受検者が横たわる大腸内視鏡検査用ベッドにおいて、受検者が横たわる本体部と、この本体部に対して着脱自在又は埋没出現自在となった支持部と、この支持部に支持された状態で受検者の下腿を下方から支持する下腿載置部とを具備しており、前記支持部は下腿載置部の中心から外れており、前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっていることを特徴とする大腸内視鏡検査用ベッド。
【請求項９】
肛門から大腸内視鏡を挿入して行われる大腸内視鏡検査の際に受検者が横たわる大腸内視鏡検査用ベッドにおいて、受検者が横たわる本体部と、受検者の下腿を下方から支持する下腿載置部と、この下腿載置部を本体部に対して移動可能に支持する支持部とを具備しており、前記支持部は下腿載置部の中心から外れており、前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっており、前記下腿載置部は退避位置では本体部と面一になり、前記本体部は受検者の臀部が載る座面部と、受検者の背中部分を受けるリクライニング式の背もたれ部と、大腸内視鏡中長いファイバーである大腸内視鏡や他の器具を載置する器具載置台とを有しており、前記器具載置台は座面部に対して伸縮可能となっており、前記座面部はリクライニング中は座面であるが、最初の座位以外の体位では座面部が格納されて前記器具載置台が出現したり、あるいは座面部が水平へと戻って出現してきた前記器具載置台と繋がって一つの水平な台となることを兼ねてもよく、背もたれ部及び下腿載置部と下腿載置部を本体部に対して移動可能に支持する支持部は、背もたれ部が寝た状態で本体部の長手軸を中心として回動することで、受検者の体位を側臥位、仰臥位と変換することができることを特徴とする大腸内視鏡検査用ベッド。
【請求項１０】
肛門から大腸内視鏡を挿入して行われる大腸内視鏡検査の際に受検者が横たわる大腸内視鏡検査用ベッドにおいて、受検者が横たわる本体部と、受検者の下腿を下方から支持する下腿載置部と、この下腿載置部を本体部に対して移動可能に支持する支持部とを具備しており、前記支持部は下腿載置部の中心から外れており、前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっており、前記下腿載置部は退避位置では本体部と面一になり、前記本体部は受検者の臀部が載る座面部と、受検者の背中を受ける背もたれ部と、この背もたれ部の左側に設けられるリクライニング式の側面受け部と、大腸内視鏡中長いファイバーである大腸内視鏡や他の器具を載置する器具載置台と有しており、前記座面部はリクライニング中は座面であるが、最初の座位以外の体位では座面部が格納されて前記器具載置台が出現したり、あるいは座面部が水平へと戻って出現してきた前記器具載置台と繋がって一つの水平な台となることを兼ねてもよく、前記側面受け部、背もたれ部が傾動することで、受検者の体位を側臥位、仰臥位と変換することができることを特徴とする大腸内視鏡検査用ベッド。
【請求項１１】
肛門から大腸内視鏡を挿入して行われる大腸内視鏡検査の際に受検者が横たわる大腸内視鏡検査用ベッドにおいて、受検者が横たわる本体部と、受検者の下腿を下方から支持する下腿載置部と、この下腿載置部を本体部に対して着脱自在かつ上下方向移動可能に支持する支持部とを具備しており、前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっていることを特徴とする大腸内視鏡検査用ベッド。
【請求項１２】
前記支持部又は本体部には、外側に向かって光を発する発光部が設けられていることを特徴とする請求項７、８、９、１０又は１１記載の大腸内視鏡検査用ベッド。
【発明の詳細な説明】
【技術分野】
【０００１】
本発明は、大腸癌スクリーニング及び精査等の検査や治療で行われる大腸内視鏡検査の際に用いられる大腸内視鏡検査用下腿載置台と、大腸内視鏡検査用ベッドとに関する。
【背景技術】
【０００２】
受検者Ｐに対する大腸内視鏡検査は、大腸内視鏡検査を行う医師Ｄと、医師Ｄや受検者Ｐを介助する複数人の介助者とで行われる。
大腸内視鏡検査は、検査用ベッドＢに横たわった受検者Ｐの肛門から柔軟性を有する大腸内視鏡を挿入することで行われる。挿入時の受検者Ｐの体位は、図２２（Ａ）に示すように左横向きの左側臥位で臀部を突き出した状態である。検査中には医師Ｄが大腸内視鏡を深部挿入するために、受検者Ｐの体位を複数回変換させるので、図２２（Ｂ）に示すように、少なくとも一回は受検者Ｐが仰臥位で下肢ＰＡを組んだ状態になる。
すなわち、受検者Ｐは大腸内視鏡が挿入された後に体位を変換しなければならない。
また、医師Ｄは大腸内視鏡検査の際には受検者Ｐの右手側、つまり図２２（Ｂ）での左側に位置する。【０００３】
受検者Ｐは、体位変換を行わなければならないが、高齢、肥満或いは麻痺等があると体位変換をうまく行うことができない。大腸内視鏡検査では、鎮痛剤、鎮静剤又は静脈麻酔が使用される頻度が多くなっている。なぜなら、検査時間が半時間ほどかかり、かつ痛みや腹部膨満感などの苦痛を伴う検査であることから、受検者Ｐの苦痛をとる必要があるからである。また、大腸粘膜剥離術など高度でさらに時間のかかる大腸内視鏡検査手術時の麻酔目的で、前述の薬剤が使用されることもある。前記薬剤が使用されている場合には、受検者Ｐが体位変換を自発的に行うことは不可能である。さらに受検者Ｐは、体位変換が困難な場合、仰臥位で下肢ＰＡを組んで保持することにも苦痛を伴う。
一方、介助者は、主に医師Ｄを介助する者と受検者Ｐを介助する者とに大別されるが、兼用する場合もある。
医師Ｄを介助する介助者は、医師Ｄが生検や治療を行う際には、生検鉗子を医師Ｄに渡したり、回収された生検検体を処理したり、止血クリップなどの治療用デバイスを装着し準備したり、それらを医師Ｄに渡して介助を行う。これとは別に、受検者Ｐを介助する介助者は薬剤を受検者Ｐの点滴ラインから投与したり、受検者Ｐのバイタルサインをモニタリングしたり、体位変換をサポートしたりする。しかし、受検者Ｐが高齢者、肥満者であったり、麻痺があったりすると、複数人であってもサポートをスムーズに行うことが難しくなる。しかも、受検者Ｐが仰臥位になった後もその体位を維持するために下肢ＰＡを押さえておくための介助者が必要となる。受検者Ｐが鎮静剤を投与されている場合も同様であり、介助者の数は、前述の場合より多くなる。さらに、介助者は医師Ｄによる依頼があれば、仰臥位の受検者Ｐの腹部を圧迫して腹圧をかける介助を行い、医師Ｄによる大腸内視鏡操作を容易にするために介助することがあるが、従来の足を組んでの状況では受検者Ｐの腹部の緊張が十分にとれず、医師Ｄが大腸内視鏡操作をしにくいことがあった。
一方、医師Ｄからすると、仰臥位状態の受検者Ｐが下肢ＰＡを組んだ状態であると、その下肢ＰＡが視覚的および空間的に邪魔となり大腸内視鏡操作の支障となることがしばしばあった。また、挿入時に、受検者Ｐが左側を下にした左側臥位状態であるときにも、屈曲した受検者Ｐの下腿ＰＡ１が大腸内視鏡操作の邪魔となることもあった。さらに、大腸内視鏡挿入中に仰臥位に続いて、受検者Ｐが右側を下にした右側臥位に体位変換することがある。このとき、大腸内視鏡を両下腿ＰＡ１がまたいでから、受検者Ｐが右側臥位とならなければならいことから、体位変換に時間がとられ、且つ、両下腿ＰＡ１が大腸内視鏡操作の支障となることがしばしばあった。【０００４】
かかる問題を解消するために、図２３に示すような大腸内視鏡検査用下腿載置台５００が開発された。この大腸内視鏡検査用下腿載置台５００は、板状のベース部５１０と、このベース部５１０に立設された３本の支柱５３０と、この支柱５３０に支持される下腿載置部５２０とを備えている（非特許文献１参照）。
この大腸内視鏡検査用下腿載置台５００では、受検者Ｐが左側臥位から仰臥位になる際に大腸内視鏡検査用下腿載置台５００が受検者Ｐの持ち上げられた下腿ＰＡ１の下側に差し入れられ、下腿載置部５２０に下腿ＰＡ１が載せられて下方から支持される。このため、下腿ＰＡ１を押さえておくための介助者が不用となる。【０００５】
【非特許文献１】一般社団法人日本消化器内視鏡技師会編「日本消化器内視鏡技師会会報Ｎｏ．４９」平成２４年９月１０日発行、Ｐ９３−９５
【発明の開示】
【発明が解決しようとする課題】
【０００６】
この大腸内視鏡検査用下腿載置台５００を使用しても、大腸内視鏡検査用下腿載置台５００を受検者Ｐの持ち上げられた下肢ＰＡの下側に差し入れる際には、少なくとも２人の介助者が必要である。一人は、大腸内視鏡検査用下腿載置台５００を素早く移動させる介助者である。もう一人は、受検者Ｐの下肢ＰＡを持ち上げて大腸内視鏡検査用下腿載置台５００に載せる介助者である。
しかも受検者Ｐが仰臥位であるときであっても、大腸内視鏡検査用下腿載置台５００自体が医師Ｄの腕にあたることがしばしばあり、これが大腸内視鏡操作の妨げとなっている。
さらに、受検者Ｐが仰臥位から左側臥位や右側臥位になったときに、設置した大腸内視鏡検査用下腿載置台５００が医師Ｄのその後の大腸内視鏡挿入において視覚的および空間的操作の妨げになる、あるいは大腸内視鏡検査用下腿載置台５００を受検者Ｐからいちいち取り外す必要がある。この大腸内視鏡検査用下腿載置台５００の取り外しに時間を取られたりするので、医師Ｄや介助者に与えるストレスが大きい。
さらに、大腸内視鏡検査では、医師ＤがモニターＭを見やすくするために、室内の照明を落として行っている。このため、大腸から採取された生検検体を処理する者は手元が暗いため、別個に懐中電灯等の小型照明具を準備することが必要であった。【０００７】
本発明は、上記事情に鑑みて創案されたもので、大腸内視鏡検査に関わる介助者の数及び負担をより少なくし、一方では受検者の体位変換を楽に行い苦痛を軽減させるとともに、他方では医師は受検者の下肢が大腸内視鏡の操作の妨げとならないで大腸内視鏡検査をストレスなく短時間で行うことができる大腸内視鏡検査用下腿載置台および大腸内視鏡検査用ベッドを提供することを目的としている。
また、他の本発明は、照明機能を有することで暗く照明を落とした中行われる大腸内視鏡検査中に介助者が生検検体の処理を容易にすることができ、治療用デバイスの装着や周辺機器の準備も円滑にできる大腸内視鏡検査用下腿載置台および大腸内視鏡検査用ベッドを提供することを目的としている。【０００８】
大腸内視鏡検査と上部消化管内視鏡検査は通常同一ベッドで行われているので、このベッドは上部消化管内視鏡検査ベッドとしても利用することができることをも目的としている。
【課題を解決するための手段】
【０００９】
本発明に係る大腸内視鏡検査用下腿載置台は、肛門から大腸内視鏡を挿入して行われる大腸内視鏡検査の際に仰臥位となった受検者の下腿を支える大腸内視鏡検査用下腿載置台である。この載置台は、ベース部と、受検者の下腿を下方から支持する下腿載置部と、この下腿載置部を前記ベース部に対して移動可能に支持する支持部とを備えている。前記支持部は下腿載置部の中心から外れている。前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっている。【００１０】
また、本発明に係る他の大腸内視鏡検査用下腿載置台は、肛門から大腸内視鏡を挿入して行われる大腸内視鏡検査の際に仰臥位となった受検者の下腿を支える大腸内視鏡検査用下腿載置台である。この載置台は、ベース部と、受検者の下腿を下方から支持する下腿載置部と、前記ベースに設けられ、前記下腿載置部を支持する支持部とを備えている前記支持部は下腿載置部の中心から外れている。前記支持部には、前記大腸内視鏡検査用下腿載置台の外側へ光を発する発光部が設けられている。
そして、前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっているとよい。【００１１】
また、前記支持部は、前記ベース部に立設された構成とすることが可能である。前記下腿載置部は前記支持部を中心として前記退避位置と前記検査位置との間を水平に回動可能な構成とすることが可能である。
或いは、前記下腿載置部は前記支持部とヒンジ結合されており、前記退避位置と前記検査位置との間を回動可能な構成とすることが可能である。【００１２】
前記支持部は、伸縮可能で前記ベース部に設けられた構成とすることが可能である。前記下腿載置部は前記退避位置と前記検査位置との間を上下動するような構成とすることも可能である。【００１３】
本発明に係る大腸内視鏡検査用ベッドは、肛門から大腸内視鏡を挿入して行われる大腸内視鏡検査の際に受検者が横たわる大腸内視鏡検査用ベッドである。前記ベッドは、受検者が横たわる本体部と、受検者の下腿を下方から支持する下腿載置部と、この下腿載置部を本体部に対して移動可能に支持する支持部とを備えている。前記支持部は前記下腿載置部の中心から外れている。前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっている。前記下腿載置部は前記退避位置では前記本体部と面一になるように構成されている。【００１４】
また、本発明に係る他の大腸内視鏡検査用ベッドは、肛門から大腸内視鏡を挿入して行われる大腸内視鏡検査の際に受検者が横たわる大腸内視鏡検査用ベッドである。前記ベッドは、受検者が横たわる本体部と、この本体部に対して着脱自在又は埋没出現自在となった支持部と、この支持部に支持された状態で受検者の下腿を下方から支持する下腿載置部とを備えている。前記支持部は前記下腿載置部の中心から外れている。前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっている。【００１５】
また、本発明に係る他の大腸内視鏡検査用ベッドは、肛門から大腸内視鏡を挿入して行われる大腸内視鏡検査の際に受検者が横たわる大腸内視鏡検査用ベッドである。前記ベッドは、受検者が横たわる本体部と、受検者の下腿を下方から支持する下腿載置部と、この下腿載置部を本体部に対して移動可能に支持する支持部とを備えている。前記支持部は下腿載置部の中心から外れている。前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっている。前記下腿載置部は前記退避位置では本体部と面一になる。前記本体部は、受検者の臀部が載る座面部と、受検者の背中部分を受けるリクライニング式の背もたれ部とを有している。前記背もたれ部、前記下腿載置部および前記支持部は、前記背もたれ部が寝た状態で前記本体部の長手軸を中心として回動することで、受検者の体位を側臥位と仰臥位との間で変換させるように構成されている。【００１６】
さらに、本発明に係るさらに別の大腸内視鏡検査用ベッドは、肛門から大腸内視鏡を挿入して行われる大腸内視鏡検査の際に受検者が横たわる大腸内視鏡検査用ベッドである。受検者が横たわる本体部と、受検者の下腿を下方から支持する下腿載置部と、この下腿載置部を本体部に対して移動可能に支持する支持部とを備えている。前記支持部は下腿載置部の中心から外れている。前記下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっている。前記下腿載置部は退避位置では前記本体部と面一になる。前記本体部は、受検者の臀部が載る座面部と、受検者の背中を受ける背もたれ部と、この背もたれ部の左側に設けられるリクライニング式の側面受け部と有している。前記側面受け部は前記座面部に対して傾動可能に連結されている。前記背もたれ部は前記側面受け部に対して傾動可能に連結されている。前記側面受け部および背もたれ部が各々傾動することで、受検者の体位を側臥位と仰臥位との間で変換させるように構成されている。【００１７】
さらに、前記大腸内視鏡検査用ベッドの前記支持部又は前記本体部には、前記大腸内視鏡検査用ベッドの外側へ光を発する発光部が設けられているとよい。
前記本体部は、器具載置台をさらに有する構成とすることが可能である。前記座面部は、前記背もたれ部のリクライニングに伴って傾動可能な構成とすることが可能である。前記座面部に代わって前記器具載置台が出現する、あるいは、前記座面部が傾動状態から水平状態に戻り、前記器具載置台と繋がって一つの水平な台となる構成とすることが可能である。
【発明の効果】
【００１８】
本発明に係る大腸内視鏡検査用下腿載置台の効果を受検者、医師、介助者のそれぞれの立場から説明する。
まず、受検者にとっては側臥位状態で肛門から大腸内視鏡が挿入された後に、仰臥位状態となった時に下肢を組む必要がなくなるというメリットがある。
すなわち、側臥位から仰臥位に体位変更する際に、大腸内視鏡検査用下腿載置台に下腿を載せさえすれば、下肢を組む必要がない。このため、大腸内視鏡検査中のストレスを大幅に減少させることができる。
これは、特に受検者が、高齢、肥満又は麻痺がある場合、あるいは鎮静剤を投与されている場合に有効である。
また、後述するように医師による大腸内視鏡が挿入しやすくなることから挿入にかかる時間の短縮にもつながり、受検者の検査中の苦痛が軽減する。特に、右側臥位への体位変換は下腿を受検者の右手側に下ろすだけで大腸内視鏡をまたぐ必要がないので容易に体位変換ができ、受検者のストレス低減につながる。【００１９】
一方、医師にとっては、大腸内視鏡検査の際に受検者の下肢が大腸内視鏡検査用下腿載置台に載っているので、大腸内視鏡を操作するためのスペースが確実に確保されるというメリットがある。また、仰臥位で受検者の下腿が大腸内視鏡検査用下腿載置台に載っていると腹部の緊張がとれて介助者による腹圧がかけやすくなることもあり、このことは医師の大腸内視鏡検査の挿入時間短縮につながる。また、受検者が仰臥位から体位変換した時、下腿載置台を退避位置へ容易に移動させることができるので、視覚的および空間的にもその後の大腸内視鏡操作の邪魔にならない。
このため、大腸内視鏡検査をより確実、正確に行うことができ、大腸内視鏡検査に係る時間も短縮することが可能で、医師のストレスも大幅に軽減することができる。【００２０】
さらに、従来の大腸内視鏡検査よりも介助者が少なくてもよいというメリットもある。介助者にとっては受検者の体位変換をより簡単かつ安全に行うことができるというメリットもある。【００２１】
また、支持部又は本体部に、前記大腸内視鏡検査用ベッドの外側へ光を発する発光部を設けておくことで、介助者が生検検体の処理を容易にすることができるようになる。【００２２】
さらに、本発明に係る大腸内視鏡検査用ベッドは、大腸内視鏡検査用下腿載置台に相当するものが組み込まれている。よって、載置台と同様に、側臥位になった受検者の肛門から大腸内視鏡を挿入した後、受検者を仰臥位にし、下腿を持ち上げた状態にする一連の動作をより少ない介助者で行うことができる。この効果の他に、時間短縮、省スペース、受検者の痛みや苦痛軽減、医師のストレス軽減、介助者の負担やストレス軽減という効果をも併せ持っている。
【図面の簡単な説明】
【００２３】
【図１】本発明の第１の実施の形態に係る大腸内視鏡検査用下腿載置台の図面であって、下腿載置部が検査位置にある状態の概略的斜視図である。
【図２】前記大腸内視鏡検査用下腿載置台の図面であって、下腿載置部が退避位置にある状態の概略的斜視図である。
【図３】前記大腸内視鏡検査用下腿載置台の図面であって、ベース部と下腿載置部とを分解した概略的分解斜視図である。
【図４】前記大腸内視鏡検査用下腿載置台の図面であって、検査位置にある下腿載置部と受検者の下腿との位置関係を示す概略的斜視図である。
【図５】前記大腸内視鏡検査用下腿載置台の図面であって、退避位置にある下腿載置部と受検者の下腿との位置関係を示す概略的斜視図である。
【図６】前記大腸内視鏡検査用下腿載置台の変形例の図面であって、下腿載置部が検査位置にある状態の概略的斜視図である。
【図７】人体の下肢や下腿を説明するための人体の概略部である。
【図８】本発明の第２の実施の形態に係る大腸内視鏡検査用下腿載置台の図面であって、同図（Ａ）は下腿載置部が退避位置にある状態の概略的正面図、同図（Ｂ）は下腿載置部が検査位置にある状態を示す概略的正面図である。
【図９】本発明の第３の実施の形態に係る大腸内視鏡検査用下腿載置台の図面であって、同図（Ａ）は下腿載置部が退避位置にある状態の概略的正面図、同図（Ｂ）は下腿載置部が検査位置にある状態を示す概略的正面図である。
【図１０】本発明の第４の実施の形態に係る大腸内視鏡検査用下腿載置台の図面であって、同図（Ａ）は下腿載置部が退避位置にある状態の概略的正面図、同図（Ｂ）は下腿載置部が検査位置にある状態を示す概略的正面図である。
【図１１】本発明の第５の実施の形態に係る大腸内視鏡検査用下腿載置台の図面であって、同図（Ａ）は下腿載置部が退避位置にある状態の概略的正面図、同図（Ｂ）は下腿載置部が検査位置にある状態を示す概略的一部破断正面図である。
【図１２】本発明の第６の実施の形態に係る大腸内視鏡検査用下腿載置台の図面であって、同図（Ａ）は下腿載置部が退避位置にある状態の概略的正面図、同図（Ｂ）は下腿載置部が検査位置にある状態を示す概略的正面図である。
【図１３】本発明の第７の実施の形態に係る大腸内視鏡検査用下腿載置台の図面であって、同図（Ａ）は下腿載置部が退避位置にある状態の概略的正面図、同図（Ｂ）は下腿載置部が検査位置にある状態を示す概略的正面図である。
【図１４】本発明の第８の実施の形態に係る大腸内視鏡検査用下腿載置台の概略的正面図である。
【図１５】本発明の第９の実施の形態に係る大腸内視鏡検査用下腿載置台の図面であって、同図（Ａ）は下腿載置部が退避位置にある状態の概略的正面図、同図（Ｂ）は下腿載置部が検査位置にある状態を示す概略的正面図である。
【図１６】本発明の第６の実施の形態に係る大腸内視鏡検査用下腿載置台を組み込んだ大腸内視鏡検査用ベッドの図面であって、同図（Ａ）は下腿載置部が退避位置にある状態の概略的断面図、同図（Ｂ）は下腿載置部が検査位置にある状態を示す概略的断面図である。
【図１７】本発明に係る大腸内視鏡検査用ベッドの要部の概略的断面斜視図である。
【図１８】本発明に係る大腸内視鏡検査用ベッドの動きを示す概略的斜視図である。
【図１９】本発明に係る大腸内視鏡検査用ベッドの発光部を示す図面であって、同図（Ａ）は前記発光部の不使用時の概略的斜視図、同図（Ｂ）は前記発光部の使用時の概略的斜視図である。
【図２０】本発明に係る大腸内視鏡検査用ベッドの動きを示す図面であって、同図（Ａ）は前記ベッドの初期状態の概略的斜視図、同図（Ｂ）は前記ベッドの仰臥位状態の概略的斜視図、同図（Ｃ）は前記ベッドの左側臥位状態で大腸内視鏡を挿入する挿入状態の概略的斜視図、同図（Ｄ）は前記ベッドの右側臥位状態の概略的斜視図である。
【図２１】本発明に係る他の大腸内視鏡検査用ベッドの動きを示す図面であって、同図（Ａ）は前記ベッドの初期状態の概略的斜視図、同図（Ｂ）は前記ベッドの左側臥位状態の概略的斜視図、同図（Ｃ）は前記ベッドの仰臥位状態の概略的斜視図である。
【図２２】従来の大腸内視鏡検査の行い方を説明するための説明図であって、同図（Ａ）は受検者の肛門に大腸内視鏡を挿入する際の受検者の体位等を示す説明図、同図（Ｂ）は受検者の肛門に大腸内視鏡を挿入した後の大腸内視鏡検査を行う際の受検者の体位等を示す説明図である。
【図２３】従来のこの種の大腸内視鏡検査用下腿載置台を示す概略的斜視図である。
【発明を実施するための形態】
【００２４】
本発明の第の１実施の形態に係る大腸内視鏡検査用下腿載置台１００は、肛門から大腸内視鏡を挿入して行われる大腸内視鏡検査の際に仰臥位となった受検者Ｐの下腿ＰＡ１を支える大腸内視鏡検査用下腿載置台である。載置台１００は、ベース部１１０と、受検者Ｐの下腿を下方から支持する下腿載置部１２０と、この下腿載置部１２０をベース部１１０に対して移動可能に支持する支持部１３０とを備えている。
【００２５】
なお、本明細書において、図７に示すように、下肢ＰＡとは足、足首、脛、膝、大腿を含む部分をいい、下腿ＰＡ１とは下肢ＰＡの膝から足首までの間をいい、大腿ＰＡ２とは下肢ＰＡの膝から上の部分をいうものとする。
【００２６】
ベース部１１０は、平板な板材であり、防汚のためにビニール等の合成樹脂がコーティングされている。このベース部１１０は、受検者Ｐが大腸内視鏡検査の際に横たわる検査用ベッドＢの上に載置されるようになっている。このため、検査用ベッドＢの上で滑らないように、ベース部１１０の裏面には滑り止めのためのスポンジ等が設けられている。
かかるベース部１１０は、図１等に示すように、長方形の一角が切り取られた五角形状に形成されている。
【００２７】
なお、このベース部１１０の形状は、図１等に示したものに限定されるものでないことはいうまでもない。例えば、円形、瓢箪形や他の形状であってもよい。
また、ベース部１１０は、収納時の省スペースのために折り畳み式に構成することも可能である。これらの変形例は、上述した大腸内視鏡検査用下腿載置台１００のみならず、後述する他の実施の形態に係るものについても同様に適応可能である。
【００２８】
かかるベース部１１０には、支持部１３０が立設されている。
この支持部１３０は、円柱形状である。支持部１３０の高さは平均的な体格の大人の臀部から膝裏までの長さ寸法より若干短く設定されている。これは、受検者Ｐが仰臥位で下腿ＰＡ１を下腿載置部１２０に載せる際に、苦しくないようにするためである。
すなわち、受検者Ｐが仰臥位で下腿ＰＡ１を下腿載置部１２０に載置すると、下腿ＰＡ１は、支持部１３０の高さ寸法と、ベース部１１０の厚さ寸法と、後述する下腿載置部１２０の厚さ寸法とを合わせた高さ位置にあるためである。
もし、支持部１３０の高さ寸法が臀部から膝裏までの長さ寸法よりあまりに大きければ、下腿ＰＡ１を下腿載置部１２０に載置しても腰部が浮き上がってしまい、受検者Ｐは正確な体位を維持することが難しくなる。
支持部１３０は下腿載置部１２０の中心から外れた箇所を支持している。本実施の形態では、下腿載置部１２０の長さ方向の端部を支持している。
【００２９】
下腿載置部１２０の裏面には、支持部１３０に外嵌ないし内嵌される円筒形状の筒体部１２１が取り付けられている。下腿載置部１２０は、下腿載置部１２０が支持部１３０に取り付けられた状態で、ベース部１１０に対して平行になる。また、筒体部１２１を支持部１３０に嵌め込むことで、下腿載置部１２０はベース部１１０に対して平行な状態を維持したまま支持部１３０を中心として水平に回動することができるようになる。すなわち、下腿載置部１２０が支持部１３０に支持され、退避位置ＥＰと検査位置ＩＰとの間で回動可能となっている。
【００３０】
検査位置ＩＰは、ベース部１１０の上方に下腿載置部１２０がある位置であって（図１及び図４参照）、仰臥位となった受検者Ｐの下腿ＰＡ１を下方から支え得る位置である。退避位置ＥＰはベース部１１０の上方から下腿載置部１２０が外れた位置であって、大腸内視鏡を挿入する際に側臥位となった受検者Ｐの肛門からの大腸内視鏡の挿入の邪魔にならない位置である（図２及び図５参照）。
退避位置ＥＰは、膝を曲げて臀部を突き出した状態で側臥位になった受検者Ｐの下腿ＰＡ１の上側に相当する。このため、受検者Ｐの背部に位置する医師（図５の左側に位置する医師）からすると、臀部の上側には下腿載置部１２０が存在しないので、下腿載置部１２０は受検者Ｐの肛門からの大腸内視鏡の挿入の邪魔にならない。
さらに、下腿載置部１２０の医師側が一部欠損した形状をしているのは、大腸内視鏡を操作する医師の腕が下腿載置部１２０に接触しないようにし、大腸内視鏡の操作をし易くするためである。ベース部１１０の受検者Ｐ側が一部欠損した形状をしているのは、操作する医師の大腸内視鏡がベース部１１０に接触しないようにし、大腸内視鏡の操作をし易くするためである。
【００３１】
下腿載置部１２０の表面側には、受検者Ｐの下腿ＰＡ１が滑らず、大腸内視鏡検査中に下腿ＰＡ１に鬱血が生じないように、例えば、低反発性のウレタン樹脂１２２が貼り付けられている。そして、このウレタン樹脂１２２には、受検者Ｐの下腿ＰＡ１が載置されるべき位置に蛍光又は蓄光テープ１２３が貼り付けられている。蛍光又は蓄光テープ１２３としたのは、室内の照明を落として行われる大腸内視鏡検査に対応したためである。
【００３２】
なお、下腿載置部１２０の表面側の全面均等に低反発性のウレタン樹脂１２２を貼り付ける以外に、次のような構成に設計変更することが可能である。例えば、図６に示すように、下腿ＰＡ１が載る部分にはウレタン樹脂１２２を貼り付けず、下肢ＰＡ１が載る部分以外の部分にウレタン樹脂１２２を貼り付ける。これにより、下腿ＰＡ１が載る部分が溝１２４のように構成され、大腸内視鏡検査中に下腿ＰＡ１がずれないようにすることも可能である。なお、溝１２４には蛍光又は蓄光テープ１２３を貼り付けることが望ましい。
【００３３】
上述の通りに構成された大腸内視鏡検査用下腿載置台１００による大腸内視鏡検査の手順について図４及び図５を参照しつつ説明する。
図５に示すように、大腸内視鏡検査の前に検査用ベッドＢに大腸内視鏡検査用下腿載置台１００を設置する。すなわち、受検者Ｐの下腿ＰＡ１が位置すると思われる位置に大腸内視鏡検査用下腿載置台１００のベース部１１０をセットする。しかも、支持部１３０が受検者Ｐの左手側（すなわち図５でいう検査用ベッドＢの右側）に位置するようにセットする。
【００３４】
この状態で、受検者Ｐは、検査用ベッドＢに左横向きの左側臥位で臀部を突き出した状態で横たえる。このとき、下腿載置部１２０は退避位置ＥＰに位置させておく（図５参照）。医師は、受検者Ｐの右手側（すなわち図５でいう検査用ベッドＢの左側）から大腸内視鏡を受検者Ｐの肛門に挿入する。
【００３５】
挿入が完了したならば、図４に示すように、退避位置ＥＰにある下腿載置部１２０を検査位置ＩＰに回動させる。これともに、受検者Ｐの下腿ＰＡ１を上げた状態で仰臥位にする。これによって、下腿載置部１２０は仰臥位となった受検者Ｐの下腿ＰＡ１の下側に位置することになる。なお、受検者Ｐを仰臥位にする動作と、下腿載置部１２０を水平に回動させる動作とは、一人の介助者で行うことができる。
また、後述する図８、図１０、図１２、図１３に示す大腸内視鏡検査用下腿載置台１００Ａ、１００Ｃ、１００Ｅ、１００Ｆや、図１６、図１７、図１８、図２０、図２１に示す大腸内視鏡検査用ベッドＢ１、Ｂ２、Ｂ３、Ｂ４では全自動のもので、介助者はなしで体位変換を行える。
なお、下腿載置部１２０の表面側には、蛍光又は蓄光テープ１２３が貼り付けられているので、照明を落とした検査室内でも確実に下肢ＰＡ１を所定の位置におくことが可能となっている。
【００３６】
受検者Ｐの下腿ＰＡ１は下腿載置部１２０の上に載っているので、大腸内視鏡検査の邪魔にならない。また、医師は、検査用ベッドＢの左側に位置しているので、検査用ベッドＢの右側に位置する支持部１３０が、大腸内視鏡の操作の邪魔になることはない。
なお、大腸内視鏡検査では、受検者Ｐの体位が数回にわたって変換されるのが一般的である。受検者Ｐが仰臥位以外の体位をとる際は、下腿ＰＡ１を支持する必要がない場合ので、下腿載置部１２０を退避位置ＥＰへと退避させる。このことにより下腿載置部１２０が視覚的および空間的に邪魔とならなくなるので、医師は大腸内視鏡操作がしやすくなり、医師のストレスは減少する。特に、右側を下にした右側臥位の体位を受検者Ｐがとる際には、左右の下腿ＰＡ１を仰臥位の状態から医師Ｄ側に降ろして右側臥位をとればよい。このとき、大腸内視鏡検査用下腿載置台１００があると大腸内視鏡をまたぐことがないので、受検者Ｐの体位変換が容易にできる。その上、下腿載置部１２０は退避位置ＥＰへ退避させるので、下腿載置部１２０が大腸内視鏡の操作の邪魔となることはない。
【００３７】
大腸内視鏡検査が終了して大腸内視鏡を抜去したならば、臀部および肛門の汚れを拭き取る。その後に、大腸内視鏡検査の終了時の体位が仰臥位であれば、下腿載置部１２０に載った下腿ＰＡ１を少し持ち上げ、下腿載置部１２０を退避位置ＥＰへと水平に回動させて下腿ＰＡ１を検査用ベッドＢに下ろす。
【００３８】
なお、大腸内視鏡検査に際しては、検査用ベッドＢや大腸内視鏡検査用下腿載置台１００のベース部１１０等の汚染の防止は、これらの上にビニールシーツやパットをかけることで対処する。
【００３９】
上述した大腸内視鏡検査用下腿載置台１００では、下腿載置部１２０は水平に回動可能になっていた。しかし、図８に示す第２の実施の形態に係る検査用下腿載置台１００Ａのように、下腿載置部１２０Ａが垂直方向に回動可能な構成とすることも可能である。これ以外については、検査用下腿載置台１００Ａは、検査用下腿載置台１００と同様の構成とすることができる。
大腸内視鏡検査用下腿載置台１００Ａは、筒体部１２１に相当するものがなく、ベース部１１０Ａに立設された支持部１３０Ａの上端部に、下腿載置部１２０Ａが横軸１３１Ａで回動可能にヒンジ結合されている。
検査位置ＩＰは、下腿載置部１２０Ａがベース部１１０Ａに対して平行である。退避位置ＥＰは、検査位置ＩＰから上側９０度回動し、ベース１１０Ａに対して垂直に起立した状態となる。
【００４０】
なお、大腸内視鏡検査用下腿載置台１００Ａでは、退避位置ＥＰにある下腿載置部１２０Ａが不用意に落下しないように、図示しないロック機構を設けることが安全上の観点から重要である。
【００４１】
また、この大腸内視鏡検査用下腿載置台１００Ａの下腿載置部１２０Ａの表面側には、ウレタン樹脂１２２Ａが貼り付けられている。なお、ウレタン樹脂１２２Ａの表面側には下腿ＰＡ１の載置位置を示す蛍光又は蓄光テープが貼り付けられているが、図８においては、作画の都合上、図示は省略されている。
【００４２】
さらに、下腿載置部１２０Ａの短辺縁部に他の部分より盛り上がった足落ち防止壁や下腿固定バー（図示省略）を形成しておけば、体位変換の際に、下腿載置部１２０Ａに載った下腿ＰＡ１が落ちないようにすることができる。従って、この足落ち防止壁を設けることで、全自動で体位変換を行うものであっても、介助者がいなくてもより安全に体位変換を行うことが可能になる。
【００４３】
また、図９に示す本発明の第３の実施の形態に係る大腸内視鏡検査用下腿載置台１００Ｂのように、下腿載置部１２０Ｂが２枚の板材１２０Ｂ１および１２０Ｂ２を有する構成とすることが可能である。板材１２０Ｂ１は水平に支持部１３０Ｂに固定されている。板材１２０Ｂ１、Ｂ２が開閉自在となるように、板材１２０Ｂ１、Ｂ２の端部がヒンジ結合された構成とすることが可能である。板材１２０Ｂ１、１２０Ｂ２は、図９（Ａ）に示すように、閉じた状態で互いに重ね合わされている（退避位置ＥＰ）。板材１２０Ｂ１、１２０Ｂ２は、図９（Ｂ）に示すように、開いた状態で１枚の板材となる（検査位置ＩＰ）。
【００４４】
なお、支持部１３０Ｂは、ベース部１１０Ｂに立設されており、各板材１２０Ｂ１、１２０Ｂ２の表面側にはウレタン樹脂１２２Ｂが貼り付けられている点は、上述した大腸内視鏡検査用下腿載置台１００および１００Ａと同様である。また、ウレタン樹脂１２２Ｂの表面側には、下腿ＰＡ１の載置位置を示す蛍光又は蓄光テープが貼り付けられているが、図９においては、作画の都合上、図示は省略されている。
【００４５】
また、図１０に示す本発明の第４の実施の形態に係る大腸内視鏡検査用下腿載置台１００Ｃのように、下腿載置部１２０Ｃが２枚の板材１２０Ｃ１および１２０Ｃ２を有する構成とすることが可能である。板材１２０Ｃ１は、下腿載置部１２０Ａと同様に、支持部１３０Ｃの先端に垂直方向に回動可能に連結されている。板材１２０Ｃ２は、板材１２０Ｃ１にスライド自在に取り付けられ且つ当該板材１２０Ｃ１内に収納可能となっている。
板材１２０Ｃ１が垂直方向に向き、且つ板材１２０Ｃ２が板材１２０Ｃ１内に収容されている状態が、下腿載置部１２０Ｃの退避位置ＥＰである。板材１２０Ｃ１が水平方向に向き、板材１２０Ｃ２が板材１２０Ｃ１から突出している状態が、下腿載置部１２０Ｃの検査位置ＩＰである。
【００４６】
なお、支持部１３０Ｃは、ベース部１１０Ｃに立設されており、各板材１２０Ｃ１、１２０Ｃ２の表面側にはウレタン樹脂１２２Ｃが貼り付けられている点は、上述した大腸内視鏡検査用下腿載置台１００〜１００Ｂと同様である。また、ウレタン樹脂１２２Ｃの表面側には、下腿ＰＡ１の載置位置を示す蛍光又は蓄光テープが貼り付けられているが、図１０においては、作画の都合上、図示は省略されている。
【００４７】
さらに、板材１２０Ｃ１および板材１２０Ｃ２の短辺縁部に、他の部分より盛り上がった足落ち防止壁や下腿固定バー（図示省略）を形成しておけば、体位変換の際に、下腿載置部１２０Ｃに載った下腿ＰＡ１が落ちないようにすることができる。従って、この足落ち防止壁を設けることで、全自動で体位変換を行うものであっても、介助者がいなくてもより安全に体位変換を行うことが可能になる。
【００４８】
あるいは、図１１に示す本発明の第５の実施の形態に係る大腸内視鏡検査用下腿載置台１００Ｄのように、下腿載置部１２０Ｄを支持部１３０Ｄから着脱自在な構成とすることが可能である。下腿載置部１２０Ｄの裏面側に円筒形状の筒体部１２１Ｄが取り付けられている。この筒体部１２１Ｄが支持部１３０Ｄに外嵌ないし内嵌される。この場合、受検者Ｐを、下腿ＰＡ１を組んだ状態で仰臥位にする場合にのみ、下腿載置部１２０Ｄを支持部１３０Ｄに取り付けることが可能である。仰臥位以外の体位の時、下腿載置部１２０Ｄを水平に回動させ、検査位置ＩＰから退避位置ＥＰへ移動させることも可能である。
【００４９】
なお、筒体部１２１Ｄが支持部１３０Ｄに対して着脱自在である以外、載置台１００Ｄは載置台１００と同じ構成である。図１１中１２２Ｄは、ウレタン樹脂である。ウレタン樹脂１２２Ｄの表面側には、下腿ＰＡ１の載置位置を示す蛍光又は蓄光テープが貼り付けられているが、図１１においては、作画の都合上、図示は省略されている。
【００５０】
次に、本発明の第６の実施の形態に係る大腸内視鏡検査用下腿載置台１００Ｅについて、図１２を参照しつつ説明する。
この大腸内視鏡検査用下腿載置台１００Ｅは、支持部１３０Ｅが伸縮可能になっている点で上述した実施の形態に係る載置台と相違する。
支持部１３０Ｅの例としては、図１２に示すように、ラチス構造を用いている。当該構造は、マジックハンド構造とも称される構造である
この大腸内視鏡検査用下腿載置台１００Ｅでは、図１２（Ａ）に示すように、支持部１３０Ｅが最も縮んだ状態では下腿載置部１２０Ｅはベース部１１０Ｅの上側に積層された状態となる。この退避位置ＥＰでは，下腿載置部１２０Ｅは受検者Ｐの体位に関わらず邪魔にならない。支持部１３０Ｅを伸ばし、下腿載置部１２０Ｅを上昇させる。これにより、下腿載置部１２０Ｅが下腿ＰＡ１を支持し得る。
【００５１】
このような大腸内視鏡検査用下腿載置台１００Ｅでは、支持部１３０Ｅを延ばして、受検者Ｐの体格に応じて下腿載置部１２０Ｅの高さ位置（検査位置ＩＰ）を自由に変更することができるので、よりスムーズな大腸内視鏡検査を行うことができるというメリットがある。
ただし、大腸内視鏡検査中に不用意に下腿載置部１２０Ｅの高さが変わると、医療事故につながるおそれがあるので、伸縮可能な支持部１３０Ｅを持った大腸内視鏡検査用下腿載置台１００Ｅでは、下腿載置部１２０Ｅの高さが不用意に変化しないように支持部１３０Ｅを強固に固定する構造が重要になる。
【００５２】
なお、上記以外、載置台１００Ｄは載置台１００と同じ構成である。ウレタン樹脂１２２Ｅの表面側には、下腿ＰＡ１の位置を示す蛍光又は蓄光テープが貼り付けられているが、図１２においては、作画の都合上、図示は省略されている。
【００５３】
また、この大腸内視鏡検査用下腿載置台１００Ｅにおいて、下腿載置部１２０Ｅの高さの変更をモータ等の適宜な駆動手段を用いて自動で行うのであれば、体位変換の際の介助者が不用になるというメリットもある。
【００５４】
次に、本発明の第７の実施の形態に係る大腸内視鏡検査用下腿載置台１００Ｆについて、図１３を参照しつつ説明する。
この大腸内視鏡検査用下腿載置台１００Ｆは、下腿載置部１２０Ｆが支持部１３０Ｆに沿ってスライドすることで退避位置ＥＰと検査位置ＩＰとの間を移動するようになっている。このため、支持部１３０Ｆは、基端側の部分と、先端側の部分とを有している。基端側の部分は、ベース部１１０Ｆに立設され、ベース部１１０Ｆに対して垂直になっている。先端側の部分はベース部１１０Ｆに対して平行になるように、基端側の部分に対して湾曲している。支持部１３０Ｆは、略逆Ｊ字形状、円弧状又は楕円状に形成されているといえよう。
【００５５】
この載置台１００Ｆでは、支持部１３０Ｆに溝部（図示省略）が、下腿載置部１２０Ｆに前記溝部に係合する突起部（図示省略）がそれぞれ設けられている。そして、溝部に突起部が嵌まり込み、下腿載置部１２０Ｆが支持部１３０Ｆに沿ってスムーズにスライド自在となっている。なお、検査位置ＩＰにある下腿載置部１２０Ｆがその位置を不用意に変えることがない構造が重要である点は、上述した支持部１３０Ｅの場合と同様である。
この構造では、下腿載置部１２０Ｆが支持部１３０Ｆの最も下側に位置する場合が退避位置ＥＰであり（図１３（Ａ）参照）、最も上側に位置する場合が検査位置ＩＰとなる（図１３（Ｂ）参照）。従って、退避位置ＥＰにある下腿載置部１２０Ｆはベース部１１０Ｆに対してほぼ垂直状態となる。
【００５６】
なお、支持部１３０Ｆは、ベース部１１０Ｆに立設されており、下腿載置部１２０Ｆの表面側にはウレタン樹脂１２２Ｆが貼り付けられている点は、上述した大腸内視鏡検査用下腿載置台１００等と同様である。また、ウレタン樹脂１２２Ｆの表面側には、下腿ＰＡ１の位置を示す蛍光又は蓄光テープが貼り付けられているが、図１３においては、作画の都合上、図示は省略されている。
【００５７】
さらに、下腿載置部１２０Ｆの短辺縁部に他の部分より盛り上がった足落ち防止壁や下腿固定バー（図示省略）を形成しておけば、体位変換の際に、下腿載置部１２０Ｆに載った下腿ＰＡ１が落ちないようにすることができる。従って、この足落ち防止壁を設けることで、全自動で体位変換を行うものであっても、介助者がいなくてもより安全に体位変換を行うことが可能になる。
【００５８】
上述したように、第１〜第７の実施の形態に係る大腸内視鏡検査用下腿載置台１００〜１００Ｆには、下腿載置部１２０〜１２０Ｆを退避位置ＥＰと検査位置ＩＰとの間で移動させるための構造として、回動、折りたたみ、スライド、取り付け取り外し、伸縮等を挙げたが、本発明がこれに限定されるものではない。
なお、下腿載置部１２０〜１２０Ｆを退避位置ＥＰと検査位置ＩＰとの間で移動させるのは、手動のみならず、自動的に行われるものも含まれることはいうまでもない。しかも、その操作は大腸内視鏡検査用下腿載置台１００〜１００Ｆ自体に設けられた操作スイッチを直接操作するだけでなく、大腸内視鏡検査用下腿載置台１００〜１００Ｆとは別体として設けられたリモートコントロール装置を介して操作する構造も含むものである。
【００５９】
特に、上述した大腸内視鏡検査用下腿載置台１００Ａ、１００Ｃ、１００Ｆに、後述する図１７に示す下腿載置部Ｂ２３の足落ち防止壁Ｂ２３２のように、下腿載置部１２０Ａ、１２０Ｃ、１２０Ｆの短辺縁部に他の部分より盛り上がった足落ち防止壁（図示省略）や図２０に示す下腿固定バーＢ３３２を形成しておけば、体位変換の際に、下腿載置部１２０Ａ、１２０Ｃ、１２０Ｆに載った下腿ＰＡ１が落ちないようにすることができる。従って、この足落ち防止壁を設けることで、全自動で体位変換を行うものであっても、介助者がいなくてもより安全に体位変換を行うことが可能になる。
【００６０】
また、上述した第１〜第７の実施の形態に係る大腸内視鏡検査用下腿載置台１００〜１００Ｆでは、受検者Ｐが横たわる検査用ベッドＢの上にベース部１１０〜１１０Ｆを載置したが、ベース部自体を検査用ベッドＢに変更することも可能である。
例えば、第１〜第５、第７の実施の形態に係る大腸内視鏡検査用下腿載置台１００〜１００Ｄ、１００Ｆのように支持部１３０〜１３０Ｄ、１３０Ｆがベース部１１０〜１１０Ｄ、１１０Ｆとなるべき検査用ベッドＢに設けられた開口に対して着脱自在になっており、大腸内視鏡検査を行う際だけ、支持部１３０〜１３０Ｄ、１３０Ｆを検査用ベッドＢに取り付けた上で、下腿載置部１２０〜１２０Ｄ、１２０Ｆに取り付けるようにすればよい。
なお、前記開口は、単なる穴であっても、雌ねじ形式の穴であってもよい。
【００６１】
また、支持部１３０〜１３０Ｄおよび１３０Ｆは、検査用ベッドＢの穴に取り付けるのではなく、検査用ベッドＢに埋没出現可能に組み込まれており、必要な場合にのみ検査用ベッドＢの表面側に突出できるように構成されていてもよい。
【００６２】
また、第６の実施の形態に係る大腸内視鏡検査用下腿載置台１００Ｅが検査用ベッドに組み込まれた構成とすることが可能である。この大腸内視鏡検査用ベッドＢ１は、図１６に示すように、大腸内視鏡検査用ベッドＢ１の本体部Ｂ１１に下腿載置部１２０Ｅを格納する格納凹部Ｂ１２を形成する。支持部１３０Ｅは格納凹部Ｂ１２の底面に立設されている。支持部１３０Ｅが最も縮んだ状態である退避位置ＥＰで、下腿載置部１２０Ｅが格納凹部Ｂ１２に格納され、本体部Ｂ１１と面一になるように構成すればよい。
このようにベース部１１０〜１１０Ｆを検査用ベッドと一体化することは、省スペース化や検査時間短縮、医師のストレス軽減、介助者の数や負担やストレス軽減、受検者の苦痛軽減の観点から望ましいものである。
【００６３】
次に、図１４を参照しつつ、発光部１３２Ｇが設けられている大腸内視鏡検査用下腿載置台１００Ｇについて説明する。
この本発明の第８の実施の形態に係る大腸内視鏡検査用下腿載置台１００Ｇは、暗く照明を落とした中行われている大腸内視鏡検査で大腸から採取された生検検体の処理をしやすいように、また治療用デバイスの装着や周辺機器の準備を円滑にできるように、介助者の手元を照らすことができるようになっている。
【００６４】
この大腸内視鏡検査用下腿載置台１００Ｇは、肛門から大腸内視鏡を挿入して行われる大腸内視鏡検査の際に仰臥位となった受検者Ｐの下腿を支える大腸内視鏡検査用下腿載置台である。載置台１００Ｇは、ベース部１１０Ｇと、受検者Ｐの下腿ＰＡ１を下方から支持する下腿載置部１２０Ｇと、この下腿載置部１２０Ｇをベース部１１０Ｇに支持する支持部１３０Ｇとを備えている。      
【００６５】
支持部１３０Ｇは、下腿載置部１２０Ｇをベース部１１０Ｇに対して固定的に支持するものであって、内部に空洞がある筒体状になっている。支持部１３０Ｇは下腿載置部１２０Ｇの中心から外れた箇所を支持している。本実施の形態では、支持部１３０Ｇは下腿載置部１２０Ｇの長さ方向の端部を支持している。支持部１３０Ｇには、図１４（Ａ）に示すように、大腸内視鏡検査用下腿載置台１００Ｇの外側へ光を発する発光部１３２Ｇが設けられている。支持部１３０Ｇの一面（すなわち大腸内視鏡検査用下腿載置台１００Ｇの外側に向かう面）から発光部１３２Ｇが露出している。発光部１３２Ｇとしては、現時点では、発光ダイオードが省電力、省スペース、照度等の点から優れているが、他の発光素子を使用することも可能である。受検者Ｐがまぶしくないよう、医師Ｄがモニターを見やすいように、そして介助者の手元を照らせるように、発光部１３２Ｇが支持部１３０Ｇの全周囲のうち、受検者Ｐと医師Ｄ側だけ発光部にカバーがかかっている構造であってもよい。
【００６６】
この発光部１３２Ｇは、支持部１３０Ｇの内部に格納される電池を電源として使用している。従って、この支持部１３０Ｇには、図示しない電池格納部とそれを開閉する蓋体とが設けられることになる。また、この発光部１３２Ｇのオンオフを行うスイッチは、支持部１３０Ｇに設けられている。なお、前記スイッチは、支持部１３０Ｇに設けられているもののみに限定されることはない。例えば、前記スイッチは、大腸内視鏡検査用下腿載置台１００Ｇの他の部分に設けることができる。また、前記スイッチは、大腸内視鏡検査用下腿載置台１００Ｇとは別体のリモートコントロール装置として設けることも可能である。
また、図１４（Ｂ）に示すように、支持部１３０Ｇの大腸内視鏡検査用下腿載置台１００Ｇの外側に向かう面に透光性を有する素材を窓１３３Ｇとして使用し、発光部１３２Ｇを支持部１３０Ｇの内部に格納することも可能である。
【００６７】
なお、この大腸内視鏡検査用下腿載置台１００Ｇの支持部１３０Ｇは、ベース部１１０Ｇに立設されており、下腿載置部１２０Ｇの表面側にはウレタン樹脂１２２Ｇが貼り付けられている点は、上述した大腸内視鏡検査用下腿載置台１００〜１００Ｆと同様である。また、ウレタン樹脂１２２Ｇの表面側には、下腿ＰＡ１の載置位置を示す蛍光又は蓄光テープが貼り付けられているが、図１４においては、作画の都合上、図示は省略されている。
【００６８】
上述した発光部１３２Ｇは、本発明の第９の実施の形態に係る大腸内視鏡検査用下腿載置台１００Ｈにも設けることが可能である。大腸内視鏡検査用下腿載置台１００Ｈは、下腿載置部１２０Ｇが退避位置ＥＰと検査位置ＩＰとの間で移動自在となっている。
例えば、図１５に示すように、下腿載置部１２０Ｈの裏面に筒体部１２１Ｈが形成されている。この筒体部１２１Ｈがベース部１１０Ｈに立設された支持部１３０Ｈに外嵌されている。このため、下腿載置部１２０Ｈが支持部１３０Ｈを支点に水平に回動自在となる。筒体部１２１Ｈのうち少なくとも発光部１３２Ｈが対面する部分の全周は透光性を有する素材からなる窓１２５Ｈとして構成される。なぜなら、筒体部１２１Ｈは下腿載置部１２０Ｈの回動に伴って回動するものだからである。
【００６９】
なお、支持部１３０Ｈは、ベース部１１０Ｈに立設されており、下腿載置部１２０Ｈの表面側にはウレタン樹脂１２２Ｈが貼り付けられている点は、上述した大腸内視鏡検査用下腿載置台１００〜１００Ｇと同様である。また、ウレタン樹脂１２２Ｈの表面側には、下腿ＰＡ１の載置位置を示す蛍光又は蓄光テープが貼り付けられているが、図１５においては、作画の都合上、図示は省略されている。
【００７０】
この発光部１３２Ｇ、１３２Ｈを有する大腸内視鏡検査用下腿載置台１００Ｇ、１００Ｈは、大腸内視鏡検査のときだけでなく、上部消化管内視鏡検査等においても、体内から採取された生検検体を処理する介助者の手元を照らす照明としても使用することができる。
【００７１】
図１７および図１８に示す大腸内視鏡検査用ベッドＢ２は、受検者Ｐが横たわる本体部Ｂ２１と、この本体部Ｂ２１を上下動させる昇降部Ｂ２２と、本体部Ｂ２１から埋没出現自在となり受検者Ｐの下腿ＰＡ１を下方から支持する下腿載置部Ｂ２３と、この下腿載置部Ｂ２３を退避位置ＥＰと検査位置ＩＰとの間で移動可能に支持する支持部Ｂ２４とを有している。
【００７２】
この下腿載置部Ｂ２３は全体として横長の略直方体状に形成されている。この下腿載置部Ｂ２３は、一方の短辺側の側面Ｂ２３１が本体部Ｂ２１の表面と面一となるように本体部Ｂ２１内に格納されている。この格納状態が下腿載置部Ｂ２３の退避位置ＥＰとなる。下腿載置部Ｂ２３は、本体部Ｂ２１から出て本体部Ｂ２１に対して平行になる。この状態が、下腿載置部Ｂ２３の検査位置ＩＰとなる。
この下腿載置部Ｂ２３の他方の短辺側は、他の部分より盛り上がっている。この盛り上がり部分が、下腿載置部Ｂ２３に載った下腿ＰＡ１が落ちないように支える足落ち防止壁Ｂ２３２となる。この足落ち防止壁Ｂ２３２が本体部Ｂ２１から抜け出ることができるように、側面Ｂ２３１と隣接する本体部Ｂ２１には開閉可能な蓋体Ｂ２３３が設けられている。下腿載置部Ｂ２３が退避位置ＥＰにあり、この蓋体Ｂ２３３が閉じた状態にあると、蓋体Ｂ２３３と側面Ｂ２３１とは本体部Ｂ２１の表面で面一になっている。
【００７３】
支持部Ｂ２４は、図１７に示すように、略円弧状のラックギア部Ｂ２４１と、このラックギア部Ｂ２４１に対応したピニオンギア部Ｂ２４２と、このピニオンギア部Ｂ２４２を回動させる駆動装置（図示省略）とを有している。ラックギア部Ｂ２４１の背面側（ピニオンギア部Ｂ２４２に対応する面と対向する面側）には、下腿載置部Ｂ２３の裏面に形成された複数の凹部Ｂ２３４に対応した複数の凸部Ｂ２４３が形成されている。
なお、ラックギア部Ｂ２４１は、丸棒状であることが望ましい。なぜならば、ラックギア部Ｂ２４１が丸棒状であると、受検者Ｐに接触しても受検者Ｐが怪我をするおそれを少なくすることができるためである。
【００７４】
ラックギア部Ｂ２４１の始端側端面Ｂ２４４は本体部Ｂ２１の表面に露出している。また、始端側端面Ｂ２４４には暗闇でも自発光する蛍光塗料又は蓄光塗料が塗布されている。このため、照明を落とした検査時でもラックギア部Ｂ２４１の位置を視覚的に確認することができる。しかも、図１８（Ａ）に示すように、ラックギア部Ｂ２４１の始端側端面Ｂ２４４が露出している位置は、下腿ＰＡ１を曲げて側臥位になった受検者Ｐの膝頭の裏側に相当するので、受検者Ｐの体位の指標となるというメリットもある。側面Ｂ２３１に蛍光塗料又は蓄光塗料が塗布されていても良い。なお、蛍光塗料又は蓄光塗料は、蛍光テープ又は蓄光テープで代用可能である。
【００７５】
ラックギア部Ｂ２４１の凸部Ｂ２４３は、下腿載置部Ｂ２３を退避位置ＥＰと検査位置ＩＰとの間で移動させる際に、下腿載置部Ｂ２３の凹部Ｂ２３４に噛み合うものである。従って、下腿載置部Ｂ２３が退避位置ＥＰにある時、前記駆動装置によってピニオンギア部Ｂ２４２を回動させると、ラックギア部Ｂ２４１が本体部Ｂ２１側に突出し始め、このラックギア部Ｂ２４１の動きに従って下腿載置部Ｂ２３が退避位置ＥＰから検査位置ＩＰへの移動を開始する。
【００７６】
なお、下腿載置部Ｂ２３が退避位置ＥＰにある状態では、ラックギア部Ｂ２４１の凸部Ｂ２４３と下腿載置部Ｂ２３の凹部Ｂ２３４とが噛み合っておらず、ラックギア部Ｂ２４１が動き始めてから後に噛み合うようにしておくのが好ましい。
なぜなら、図１８（Ｂ）に示すように、ラックギア部Ｂ２４１の始端側端面Ｂ２４４が本体部Ｂ２１の表面から若干突出した時点から下腿載置部Ｂ２３が動き始めるようにすることができるためである。この場合、駆動装置を駆動させるスイッチをオンにしてから一定時間後に下腿載置部Ｂ２３の動きが開始されるので、前記スイッチをオンにしてから受検者Ｐの体位が崩れた場合にも安全に対応することができる。また、下腿載置部Ｂ２３に下腿固定バーが設けられた構造であれる場合、ベッドＢ２の安全性が向上する。
【００７７】
下腿載置部Ｂ２３が検査位置ＩＰへ移動を開始すると、下腿載置部Ｂ２３は受検者Ｐの下腿ＰＡ１の裏側を摺りながら移動する。そして、図１８（Ｃ）に示すように、足落ち防止壁Ｂ２３２に下腿ＰＡ１が当たると、受検者Ｐの下腿ＰＡ１は下腿載置部Ｂ２３の移動に伴って動かされ始めるので、受検者Ｐは側臥位から仰臥位と向かって体位を変え始める。
【００７８】
このように構成された大腸内視鏡検査用ベッドＢ２では、支持部Ｂ２４のラックギア部Ｂ２４１が円弧状に形成されている。検査位置ＩＰで、支持部Ｂ２４の先端側の部分が下腿載置部Ｂ２３を支持し、支持部Ｂ２４の基端側の部分が下腿載置部Ｂ２３の中心から外れた位置（足落ち防止壁Ｂ２３２下）に位置している。このため、支持部Ｂ２４が大腸内視鏡操作の支障となることはない。
【００７９】
そして、図１８（Ｄ）に示すように、下腿載置部Ｂ２３が検査位置ＩＰへと到達すると、受検者Ｐは下腿ＰＡ１を下腿載置部Ｂ２３に載せて上げた状態で仰臥位となる。
【００８０】
なお、図１８（Ｄ）に示すように、支持部Ｂ２４を構成するラックギア部Ｂ２４１の根元側に、大腸内視鏡検査用ベッドＢ２の外側に向けて発光部Ｂ２４５を設けておけば、介助者による生検検体の処理をより容易にするというメリットがある。発光部Ｂ２４５は、ベッドＢ２の外側へ光を発する。発光部Ｂ２４５は、発光部１３２Ｇ、１３３Ｇ、１３２Ｈと同様の構成とすることが可能である。ラックギア部Ｂ２４１にも、透光性を有する窓等を形成することが可能である。
【００８１】
なお、大腸内視鏡検査用ベッドＢ２の発光部Ｂ２４５は、ラックギア部Ｂ２４１に組み込むとしたが、図１９に示すような構成にすることも可能である。
図１９に示す発光部Ｂ２５は、大腸内視鏡検査用ベッドＢ２の本体部Ｂ２１に対してヒンジ結合されている。この発光部Ｂ２５は、表面が透光性を有する合成樹脂板Ｂ２５１と、合成樹脂板Ｂ２５１内部に設けられた発光ダイオード等の発光素子とを有している。
この発光部Ｂ２５は、図１９（Ｂ）に示すように、合成樹脂板Ｂ２５１と本体部Ｂ２１と面一になった状態で固定可能になっている。
なお、このようにプレート状の発光部Ｂ２５が本体部Ｂ２１に設けられていると、発光部Ｂ２５は生検検体を処理する際のテーブルとしても使用することができる。
【００８２】
前記発光素子は、プレート状の発光部Ｂ２５が本体部Ｂ２１と面一になった使用状態になると自動的にオンされ、本体部Ｂ２１と９０度に折れ曲がった不使用状態ではオフになるように構成することができる。また、前記発光素子は、発光部Ｂ２５の状態とは関係なく、スイッチでオンオフ操作することができるようになっていてもよい。このスイッチは、本体部Ｂ２１に組み込まれていても、別体のリモートコントロール装置であってもよい。
【００８３】
発光部Ｂ２５は、大腸内視鏡検査用ベッドＢ２のみならず、上述した大腸内視鏡検査用ベッドＢ１、後述する大腸内視鏡検査用ベッドＢ３または後述する大腸内視鏡検査用ベッドＢ４にも適用することができる。
【００８４】
次に、図２０に示す大腸内視鏡検査用ベッドＢ３について説明する。
この大腸内視鏡検査用ベッドＢ３は、肛門から大腸内視鏡を挿入して行われる大腸内視鏡検査の際に受検者Ｐが横たわる大腸内視鏡検査用ベッドである。ベッドＢ３は、受検者Ｐが横たわる本体部Ｂ３１と、受検者Ｐの下腿ＰＡ１を下方から支持する下腿載置部Ｂ３３と、この下腿載置部Ｂ３３を本体部Ｂ３１に対して移動可能に支持する支持部Ｂ３４とを備えている。
【００８５】
上述した大腸内視鏡検査用ベッドＢ１等では、受検者Ｐが横たわる本体部Ｂ１１は下腿載置部１２０Ｅを除いて変形することはなかったが、図２０に示す大腸内視鏡検査用ベッドＢ３は、本体部Ｂ３１が変形することで受検者Ｐの体位変換をより容易かつ安全に行うことができるようになっている。
【００８６】
本体部Ｂ３１は、受検者Ｐの臀部が載る座面部Ｂ３１１と、受検者Ｐの背中部分を受けるリクライニング式の背もたれ部Ｂ３１２と、大腸内視鏡等を載置する器具載置台Ｂ３１３とを有する。本体部Ｂ３１の上側（頭部側）から背もたれ部Ｂ３１２、座面部Ｂ３１１、器具載置台Ｂ３１３となっている。
なお、この本体部Ｂ３１は昇降部Ｂ３２によって上下動できるようになっている。また、ベッドＢ３は、図示しないリクライニング機構をさらに備えている。このリクライニング機構によって、座面部Ｂ３１１および背もたれ部B３１２が昇降部Ｂ３２に対して傾動自在となる一方、背もたれ部Ｂ３１２が座面部Ｂ３１１に対して傾動自在となる。器具載置台Ｂ３１３は座面部Ｂ３１１に対して伸縮可能になっている。背もたれ部Ｂ３１２、下腿載置部Ｂ３３および支持部Ｂ３４は、背もたれ部Ｂ３１２が寝た状態で、本体部Ｂ３１の長手軸Ｌ（図２０（Ｂ）参照）を中心として回動可能である。この回動により、受検者Ｐ自身が体位変換せずとも、受検者Ｐの体位を側臥位と仰臥位との間で変換することができるようになっている。
【００８７】
この大腸内視鏡検査用ベッドＢ３の初期状態では、図２０（Ａ）に示すように、背もたれ部Ｂ３１２が起き上がり、座面部Ｂ３１１は水平に位置し、器具載置台Ｂ３１３は座面部Ｂ３１１に組み込まれている。
【００８８】
しかも、背もたれ部Ｂ３１２は、左右の縁部が他の部分より盛り上がるように構成されるので、受検者Ｐの上半身を固定することが可能になっている（ただし、作画の都合上、左右の縁部の盛り上がりの図示は省略している。）。
【００８９】
また、背もたれ部Ｂ３１２には、大腸内視鏡検査用ベッドＢ３を上部消化管内視鏡検査用ベッドと兼用することができるように、開口部Ｂ３１４が設けられている。上部消化管内視鏡検査では、受検者Ｐをリラックスさせるため、介助者が左側臥位になった受検者Ｐの背中をさすることがある。介助者が開口部Ｂ３１４から手を挿入し、受検者Ｐの背中をさすることができる。
なお、開口部Ｂ３１４は、スライド式の引き戸又は取り外し式の扉を設けてもよいし、扉を設けていなくてもよい。この上部消化管内視鏡検査の際は、肛門ではなく口からファイバーを挿入するので座面部Ｂ３１１は座面のままで、支持部Ｂ３４および下腿載置部Ｂ３３と連動して動くように設計変更することが可能である。
【００９０】
一方、支持部Ｂ３４は、基端部が背もたれ部Ｂ３１２に連結されており、背もたれ部Ｂ３１２に対してほぼ直角となる方向に伸びている。支持部Ｂ３４は、背もたれ部Ｂ３１２の動きに従って初期状態から起立状態にかけて動くようになっている。図２０（Ａ）に示すように、背もたれ部Ｂ３１２が起きた状態で、支持部Ｂ３４が座面部Ｂ３１１の側縁側に位置する。これが支持部Ｂ３４の初期状態である。図２０（Ｂ）に示すように、背もたれ部Ｂ３１２が倒れた状態（リクライニング状態）になると、支持部Ｂ３４が起立する。これが支持部Ｂ３４の起立状態である。支持部Ｂ３４の起立により、下腿載置部Ｂ３３が退避位置ＥＰから検査位置ＩＰへと移動することになる。支持部Ｂ３４には、大腸内視鏡検査用ベッドＢ３の外側方向を照らすことで、例えば検体処理を行う介助者の手元を照らす発光部Ｂ３３３が設けられている。
【００９１】
かかる支持部Ｂ３４の先端部には、下腿載置部Ｂ３３が支持部Ｂ３４に対して略直角に連設されている。すなわち、支持部Ｂ３４は下腿載置部Ｂ３３の中心から外れている。下腿載置部Ｂ３３は、大腸内視鏡を挿入する際に側臥位となった受検者Ｐの肛門からの大腸内視鏡の挿入の邪魔にならない位置である退避位置ＥＰ（図２０（Ａ）、同図（Ｃ）、同図（Ｄ）参照）と、仰臥位となった受検者Ｐの下腿ＰＡ１を下方から支える検査位置ＩＰ（図２０（Ｂ）参照）との間で移動可能になっている。この下腿載置部Ｂ３３は、受検者Ｐの両下腿ＰＡ１を受ける２つの凹部Ｂ３３１が設けられるとともに、この凹部Ｂ３３１に載せた両下腿ＰＡ１を固定するための下腿固定バーＢ３３２が設けられている。この下腿固定バーＢ３３２は、下腿載置部Ｂ３３に着脱可能に設けられていてもよいし、回動可能に連結されていてもよい。
なお、下腿固定バーＢ３３２は、作画の都合上、図２０（Ｂ）にのみ記載し、他では図示を省略している。
この下腿載置部Ｂ３３は、初期状態では座面部Ｂ３１１の前縁部に連なるように配置され且つ本体部Ｂ３１と面一になる。初期状態にある大腸内視鏡検査用ベッドＢ３は、図２０（Ａ）に示すように背もたれ付きの椅子に類似した形態になっている。
なお、この大腸内視鏡検査用ベッドＢ３には、背もたれ部Ｂ３１２の左右両側に受検者Ｐの体位の不用意な変動を防止したり、受検者Ｐの腕を支えたりするための手摺りを設けることも可能である。
【００９２】
背もたれ部Ｂ３１２が倒れる時、臀部がずり落ちないようにするため、臀部がのる座面部Ｂ３１１は、支持部Ｂ３４及び下腿載置部Ｂ３３と共にリクライニングする。これにより、受検者Ｐが仰臥位になる。その後、座面部３１１が元の水平な位置に復帰する。上部消化管内視鏡時は肛門ではなく口からファイバーを挿入するので座面Ｂ３１１は座面のままでよいよう設定することが可能である。そして図２０（Ｂ）に示すように、器具載置台Ｂ３１３は、座面部Ｂ３１１から延伸する、又は、座面部Ｂ３１１に格納された状態から出現又は突出して座面部Ｂ３１１と面一になる。この座面部Ｂ３１１が昇降部Ｂ３２に格納されて器具載置座位Ｂ３１３と入れ替わってもよい。
【００９３】
また、背もたれ部Ｂ３１２、下腿載置部Ｂ３３および支持部Ｂ３４は、背もたれ部Ｂ３１２が寝た状態で、図２０（Ｃ）及び（Ｄ）に示すように本体部Ｂ３１の長手軸Ｌを中心として座面部Ｂ３１１に対して左右両側に回動することができるようになっている。
なお、この大腸内視鏡検査用ベッドＢ３の上述した一連の動作は、手動又は大腸内視鏡検査用ベッドＢ３に設けたスイッチ、或いは別体のリモートコントロール装置を操作することによって自動でも行われる。
【００９４】
この大腸内視鏡検査用ベッドＢ３を用いた大腸内視鏡検査の手順について説明する。
まず、図２０（Ａ）に示す初期状態の大腸内視鏡検査用ベッドＢ３に受検者Ｐが腰掛ける。この初期状態では、背もたれ部Ｂ３１２が起き上がり、器具載置台Ｂ３１３は縮みあるいは座面部Ｂ３１１に格納され、支持部Ｂ３４が座面部Ｂ３１１の側縁側に配置され、下腿載置部Ｂ３３は座面部Ｂ３１１の前縁部に連なるように配置されている。よって、受検者Ｐは簡単に大腸内視鏡検査用ベッドＢ３に載ることができる。
【００９５】
この初期状態の大腸内視鏡検査用ベッドＢ３に座った受検者Ｐの両下腿ＰＡ１は、下腿載置部Ｂ３３の２つの凹部Ｂ３３１に入り込んでいる。そして、この両下腿ＰＡ１を下腿固定バーＢ３３２で固定する。これで受検者Ｐの両下腿ＰＡ１は、下腿載置部Ｂ３３の動きに従うことになる。
【００９６】
次に、図２０（Ｂ）に示すように、背もたれ部Ｂ３１２を後方に倒してほぼ水平にする。この背もたれ部Ｂ３１２の動きに連動して、支持部Ｂ３４が起立し、下腿載置部Ｂ３３が退避位置ＥＰから検査位置ＩＰへと移動する。この背もたれ部Ｂ３１２が倒れる時、座面部Ｂ３１１が、下腿載置部Ｂ３３や支持部Ｂ３４と同一面を保ったままリクライニングする。その後、座面部Ｂ３１１が水平状態に復帰する。この時に、器具載置台Ｂ３１３が縮んだ状態から延伸、又は、格納された状態から出現または突出して座面部Ｂ３１１と面一となったり、座面部Ｂ３１１が昇降部Ｂ３２に格納されて水平な器具載置台Ｂ３１３と入れ替わったりしてもよい。この検査位置ＩＰでは、受検者Ｐは仰臥位で、下腿ＰＡ１が下腿載置部Ｂ３３に支持された状態になる。
【００９７】
なお、この大腸内視鏡検査用ベッドＢ３を上部消化管内視鏡検査用ベッドと兼用し、上部消化管内視鏡検査用ベッドとして使用する場合には、座面部Ｂ３１１はそのままの座面としての状態を維持しつつ、図２０（Ｃ）に示すように、背もたれ部Ｂ３１２が左側に回転することで、受検者Ｐは左側臥位となり、上部消化管内視鏡検査を開始できる。なお、上部消化管内視鏡検査用ベッドとして使用する場合には、背もたれ部Ｂ３１２に設けられた開口部Ｂ３１４から受検者Ｐの背中を介助者がさすることになる。
【００９８】
さらに、背もたれ部Ｂ３１２、下腿載置部Ｂ３３および支持部Ｂ３４が本体部Ｂ３１の長手軸Ｌ（図２０（Ｂ）参照）を中心として座面部Ｂ３１１に対して回動することで、受検者Ｐ自身が体位変換せずとも受検者Ｐの体位を側臥位に変換することができる。しかも、受検者Ｐの下腿ＰＡ１は下腿載置部Ｂ３３に固定されて不用意に動かないので、安全性が高い。なお、受検者Ｐの上半身を自動車シートのシートベルトに類したベルト類を用いて固定しておけば、より安全性を高めることができる。
【００９９】
このように体位変換を行い、受検者Ｐが図２０（Ｃ）に示す左側臥位になった退避位置ＥＰで、受検者Ｐの肛門から大腸内視鏡を挿入する。その後、大腸内視鏡検査を開始する。
受検者Ｐの肛門に大腸内視鏡が挿入された後は、必要に応じて、大腸内視鏡検査用ベッドＢ３を図２０（Ｂ）に示す検査位置ＩＰや、同図（Ｃ）や同図（Ｄ）に示す退避位置ＥＰに、左右に自動又は手動で動かして、体位変換を行い大腸内視鏡検査を行う。
【０１００】
なお、器具載置台Ｂ３１３は、図２０（Ｂ）に示すように水平な座面部Ｂ３１１から延伸、出現又は突出して水平な台となる。器具載置台Ｂ３１３は、大腸内視鏡中長いファイバーである大腸内視鏡や他の器具を置くためのスペースとして利用することができる。また、この器具載置台Ｂ３１３に発光部を組み込むことも可能である。
また、上述の説明では、器具載置台Ｂ３１３は座面部Ｂ３１１内に入っており、縮んだ状態から延伸、又は、格納された状態から出現または突出して座面部Ｂ３１１と面一になるとして説明した。しかし、器具載置台Ｂ３１３は座面部Ｂ３１１の先端部に回動自在に取り付けられており、座面部Ｂ３１１に対して面一になるように起き上がる構成としてもよい。また、器具載置台Ｂ３１３は、座面部Ｂ３１１の後方で一体になっており、スライドすることで座面部Ｂ３１１から出てくるように構成することも可能である。または、器具載置台Ｂ３１３は、座面部Ｂ３１１が昇降部Ｂ３２に格納された後に昇降部Ｂ３２から出現して水平な台となるように構成することも可能である。
【０１０１】
なお、発光部Ｂ３３３の代わりに、大腸内視鏡検査用ベッドＢ２で説明したプレート状の発光部Ｂ２５と同等のものを使用することも可能である。
【０１０２】
また、上記した説明では、支持部Ｂ３４の先端部に、下腿載置部Ｂ３３が支持部Ｂ３４に対して略直角に連設されているとしたが、本発明がこれに限定されるものではない。例えば、下腿載置部Ｂ３３が、支持部Ｂ３４にヒンジ結合されることで、座面部Ｂ３１１のより前方側に動くように構成されることも可能である。
さらに、この下腿載置部Ｂ３３が、二つ折り可能に構成されることも、伸縮可能に構成されることも可能である。また、下腿載置部Ｂ３３が支持部Ｂ３４から取り外し可能になっていてもよいし、下腿載置部Ｂ３３が支持部Ｂ３４にスライド可能に取り付けられていてもよい。すなわち、下腿載置部Ｂ３３と支持部Ｂ３４との取付構造は、上述した実施の形態の下腿載置部と支持部との取付構造の何れかを採用し得る。
【０１０３】
次に、図２１に示す大腸内視鏡検査用ベッドＢ４について説明する。
この大腸内視鏡検査用ベッドＢ４は、肛門から大腸内視鏡を挿入して行われる大腸内視鏡検査の際に受検者Ｐが横たわる大腸内視鏡検査用ベッドである。ベッドＢ４は、受検者Ｐが横たわる本体部Ｂ４１と、受検者Ｐの下腿ＰＡ１を下方から支持する下腿載置部Ｂ４３と、この下腿載置部Ｂ４３を本体部Ｂ４１に対して移動可能に支持する支持部Ｂ４４とを備えている。
【０１０４】
本体部Ｂ４１は、受検者Ｐの臀部が載る座面部Ｂ４１１と、受検者Ｐの背中部分を受ける背もたれ部Ｂ４１２と、この背もたれ部Ｂ４１２の左右のうち左側に設けられる側面受け部Ｂ４１５と、大腸内視鏡中長いファイバーである大腸内視鏡や他の器具を載置する器具載置台Ｂ４１３とを有する。ベッドＢ４は、図示しない第１、第２リクライニング機構をさらに備えている。第１リクライニング機構によって、座面部Ｂ４１１および側面受け部Ｂ４１５が昇降部Ｂ４２に対して傾動自在となる一方、側面受け部Ｂ４１５が座面部Ｂ４１１に対して傾動自在となる。第２リクライニング機構によって、背もたれ部Ｂ４１２が側面受け部Ｂ４１５に対して傾動可能となる。側面受け部Ｂ４１５および背もたれ部Ｂ４１２が各々傾動することで、受検者Ｐの体位を側臥位と仰臥位との間で変換することができる。なお、本体部Ｂ４１は昇降部Ｂ４２によって上下動できるようになっている。
【０１０５】
大腸内視鏡検査用ベッドＢ４の初期状態では、図２１（Ａ）に示すように、背もたれ部Ｂ４１２及び側面受け部Ｂ４１５が起き上がり、座面部Ｂ４１１は水平に位置している。器具載置台Ｂ４１３は昇降部Ｂ４２に沿って折り畳まれている、又は、昇降部Ｂ４２に格納されている。背もたれ部Ｂ４１２と側面受け部Ｂ４１５とは直交した状態になっている。
【０１０６】
背もたれ部Ｂ４１２は、左右の縁部が他の部分より盛り上がるように構成されているので、受検者Ｐの上半身を固定することが可能になっている（ただし、作画の都合上、左右の縁部の盛り上がりの図示は省略している。）。なお、受検者Ｐの上半身のより強固な固定が必要な場合には、自動車シートのシートベルトに類したベルト類を用いて固定することも可能である。
【０１０７】
支持部Ｂ４４は、基端部が側面受け部Ｂ４１５に連結されており、側面受け部Ｂ４１５に対して垂直方向に伸びている。支持部Ｂ４４は、側面受け部Ｂ４１５の動きに従って初期状態から起立状態にかけて動くようになっている。図２１（Ａ）に示すように、側面受け部Ｂ４１５が起きた状態で、支持部Ｂ４４が座面部Ｂ４１１の前縁側に位置する。これが支持部Ｂ４４の初期状態である。図２１（Ｂ）に示すように、側面受け部Ｂ４１５が倒れた状態（リクライニング状態）になると、支持部Ｂ４４が起立する。これが支持部Ｂ４４の起立状態である。
支持部Ｂ４４には、大腸内視鏡検査用ベッドＢ４の外側方向を照らすことで、例えば検体処理を行う介助者の手元を照らす発光部Ｂ４４３が設けられている。
また、側面受け部Ｂ４１５の下端側には、略凹字形状の下肢受け部Ｂ４１６が設けられている。この下肢受け部Ｂ４１６は、左側臥位になった受検者Ｐの下肢ＰＡを受けるものであり、側面受け部Ｂ４１５の長さ方向に延びており、側面受け部Ｂ４１５と同一面をなしている。側面受け部Ｂ４１５が座面部Ｂ４１１と面一になった状態で、下肢受け部Ｂ４１６は、座面部Ｂ４１１と同一平面上に位置するようになっている。
【０１０８】
かかる支持部Ｂ４４の先端部には、下腿載置部Ｂ４３が支持部Ｂ４４に対して略直角に連設されている。すなわち、支持部Ｂ４４は下腿載置部Ｂ４３の中心から外れている。下腿載置部Ｂ４３は、初期状態では座面部Ｂ４１１の前縁部に連なるように配置されている。よって、初期状態にある大腸内視鏡検査用ベッドＢ４は、図２１（Ａ）に示すように背もたれ付きの椅子に類似した形態になっている。下腿載置部Ｂ４３は、図２１（Ｂ）に示すように初期状態から支持部Ｂ４４と共に起立する。下腿載置部Ｂ４３が起立し、側面受け部Ｂ４１５の長手方向に沿った状態が退避位置ＥＰとなる。この退避位置ＥＰは、大腸内視鏡を挿入する際に側臥位となった受検者Ｐの肛門からの大腸内視鏡の挿入の邪魔にならない位置である。支持部Ｂ４４が起立状態で回転することで、図２１（Ｃ）に示すように、下腿載置部Ｂ４３が退避位置ＥＰから側面受け部Ｂ４１５を横切る方向に移動し、検査位置ＩＰに位置する。検査位置ＩＰは、図２１（Ｃ）に示すように、仰臥位となった受検者Ｐの下腿ＰＡ１を下方から支え得る位置である。
この下腿載置部Ｂ４３は、受検者Ｐの両下腿ＰＡ１を受ける２つの凹部Ｂ４３１が設けられるとともに、この凹部Ｂ４３１に載せた両下腿ＰＡ１を固定するための下腿固定バーＢ４３２が設けられている。この下腿固定バーＢ４３２は、下腿載置部Ｂ４３に着脱可能に設けられていてもよいし、回動可能に連結されていてもよい。
なお、下腿固定バーＢ４３２は、作画の都合上、図２１（Ｂ）にのみ記載し、他では図示を省略している。
なお、この大腸内視鏡検査用ベッドＢ４には、側面受け部Ｂ４１５や背もたれ部Ｂ４１２に受検者Ｐの体位の不用意な変動を防止したり、受検者Ｐの腕を支えたりするための手摺りを設けることも可能である。
【０１０９】
背もたれ部Ｂ４１２は、左側縁部において側面受け部Ｂ４１５に連結されている。そして、この背もたれ部Ｂ４１２は、側面受け部Ｂ４１５が倒れた状態で、当該側面受け部Ｂ４１５と面一になるように傾動する（開く）ことができる。
【０１１０】
なお、この大腸内視鏡検査用ベッドＢ４の上述した一連の動作は、手動又は大腸内視鏡検査用ベッドＢ４に設けたスイッチ、或いは別体のリモートコントロール装置を操作することによって自動でも行われる。
【０１１１】
この大腸内視鏡検査用ベッドＢ４を用いた大腸内視鏡検査の手順について説明する。
まず、図２１（Ａ）に示す初期状態の大腸内視鏡検査用ベッドＢ４に受検者Ｐが背もたれ部Ｂ４１２を背もたれにして腰掛ける。この初期状態の大腸内視鏡検査用ベッドＢ４は、背もたれ部Ｂ４１２及び側面受け部Ｂ４１５が起き上がり、器具載置台Ｂ４１３は折り畳まれあるいは昇降部Ｂ４２に格納されて、下腿載置部Ｂ４３は座面部Ｂ４１１の横縁部に連なるように配置されている。よって、受検者Ｐは簡単に大腸内視鏡検査用ベッドＢ４に載ることができる。
【０１１２】
受検者Ｐは、側面受け部Ｂ４１５に寄り掛かる。この状態から側面受け部Ｂ４１５は、受検者Ｐの左側に向かって倒れる。この際、背もたれ部Ｂ４１２は、側面受け部Ｂ４１５に対して直交する方向にあるので、受検者Ｐは座ったのと同じ方向を向いたまま、左横方向に倒れていくことになる。この際中、座面部Ｂ４１１は、臀部がずり落ちないようにするため、側面受け部Ｂ４１５と直交した状態で、側面受け部Ｂ４１５と共に傾動する。側面受け部Ｂ４１５が倒れると、受検者Ｐの体位は自然と左側臥位となる。このとき、支持部Ｂ４４および下腿載置部Ｂ４３が、側面受け部Ｂ４１５の傾倒に伴って起立し、下肢受け部Ｂ４１６が水平となる。
【０１１３】
その後、図２１（Ｂ）に示すように、座面部Ｂ４１１が側面受け部Ｂ４１５に対して傾動し、水平へと戻る。この際、座面部Ｂ４１１が、座面部Ｂ４１１から出現した器具載置台Ｂ４１３と同一水平面を形成したり、座面部Ｂ４１１が昇降部Ｂ４２に格納され、器具載置台Ｂ４１３が昇降部Ｂ４２から出現して入れ替わったりしてもよい。これで、退避位置ＥＰに下腿載置部Ｂ４３があり、受検者Ｐは左側臥位となることから大腸内視鏡検査が開始できる。
この大腸内視鏡検査用ベッドＢ４を上部消化管内視鏡検査用ベッドと兼用する場合は、この左側臥位となった状態で上部消化管内視鏡検査を開始できる。上部消化管内視鏡検査では肛門ではなく口からファイバーを挿入するので座面部Ｂ４１１は、座面のままでよいように設定することが可能である。
【０１１４】
次に、左側臥位から仰臥位になるには、背もたれ部Ｂ４１２を側面受け部Ｂ４１５に対して傾動させ（背もたれ部Ｂ４１２を開いて）、側面受け部Ｂ４１５と面一にする。この動作と共に、受検者Ｐは側臥位から仰臥位となる。
これと同時又はその後に支持部Ｂ４４を回転させて、下腿載置部Ｂ４３を退避位置ＥＰから検査位置ＩＰに移動させる。そして、仰臥位になった受検者Ｐの両下腿ＰＡ１を検査位置ＩＰで下腿載置部Ｂ４３の２つの凹部Ｂ４３１に載せる。その後、両下腿ＰＡ１を下腿固定バーＢ４３２で下腿載置部Ｂ４３に固定する。
【０１１５】
なお、器具載置台Ｂ４１３は、適宜な時期において座面部Ｂ４１１と面一にしておく。大腸内視鏡検査の邪魔にならないのであれば、背もたれ付きの椅子に類似した形態にある大腸内視鏡検査用ベッドＢ４に受検者Ｐが座った時から座面部Ｂ４１１と面一にしておくことも可能である。
なお、この器具載置台Ｂ４１３は、大腸内視鏡中長いファイバーである大腸内視鏡や他の器具を置くためのスペースとして利用することができる。また、この器具載置台Ｂ４１３に発光部を組み込むことも可能である。
【０１１６】
また、上記した説明では、支持部Ｂ４４の先端側に、下腿載置部Ｂ４３が支持部Ｂ４４に対して略直角に連設されているとしたが、本発明がこれに限定されるものではない。例えば、下腿載置部Ｂ４３が、支持部Ｂ４４にヒンジ結合されることで、座面部Ｂ４１１のより前方側に動くように構成されることも可能である。
さらに、この下腿載置部Ｂ４３が、二つ折り可能に構成されることも、伸縮可能に構成されることも可能である。また、下腿載置部Ｂ４３が支持部Ｂ４４から取り外し可能になっていてもよいし、下腿載置部Ｂ４３が支持部Ｂ４４にスライド可能に取り付けられていてもよい。すなわち、下腿載置部Ｂ４３と支持部Ｂ４４との取付構造は、上述した実施の形態の下腿載置部と支持部との取付構造の何れかを採用し得る。
【０１１７】
上述した大腸内視鏡検査用ベッドＢ３、Ｂ４では、座面部Ｂ３１１、Ｂ４１１に器具載置台Ｂ３１３、Ｂ４１３が組み込まれており、必要時に出てくるような構成になっていたり、座面部Ｂ３１１、Ｂ４１１の先端側で下方に折れ曲がっており、必要時に略水平になって座面部Ｂ３１１、Ｂ４１１に対して面一になるような構成になっていたり、座面部Ｂ３１１、Ｂ４１１の後方で一体になっており、スライドすることで出てくるように構成していたが、他の構成であってもよいことは言うまでもない。
例えば、下腿載置部Ｂ３３、Ｂ４３によって仰臥位で下腿ＰＡ１が支持されている時に、座面部Ｂ３１１、Ｂ４１１が下方に下がり、座面部Ｂ３１１、Ｂ４１１がもともとあった位置に器具載置台Ｂ３１３、Ｂ４１３が、背もたれ部Ｂ３１２、Ｂ４１２や昇降部Ｂ３２、Ｂ４２から出てくるような構成になっていてもよい。
【０１１８】
また、これらの操作は手動でも、大腸内視鏡検査用ベッドＢ３、Ｂ４に設けられたスイッチや、別体のリモートコントロール装置を介して行ってもよい。別体のリモートコントロール装置としては、リモートコントロール装置の操作が医師Ｄによる大腸内視鏡検査を阻害しないという観点からは大腸内視鏡検査用ベッドＢ３、Ｂ４と有線又は無線で接続された足踏み形式のフットスイッチが望ましい。なお、検査位置で、少なくとも支持部の基端側の部分が下腿載置部の中心から外れた位置に位置していれば良い。
【０１１９】
本発明の大腸内視鏡検査用下腿載置台は下記構成である限り任意に設計変更することが可能である。大腸内視鏡検査用下腿載置台は、ベース部と、受検者の下腿を下方から支持可能な下腿載置部と、支持部とを具備している。前記支持部は、前記ベース部に設けられており且つ前記下腿載置部を検査位置から退避位置にかけて移動自在に支持する。又は、前記支持部は、前記下腿載置部を支持しており且つ検査位置から退避位置にかけて当該下腿載置部と共に移動自在となるように前記ベース部に設けられている。前記検査位置は、前記下腿載置部が仰臥位となった受検者の下腿を下方から支持し得る位置である。前記退避位置は、前記下腿載置部が側臥位となった受検者の肛門からの大腸内視鏡の挿入の邪魔にならない位置である。本発明のベッドは、上記大腸内視鏡検査用下腿載置台を備えており、前記ベース部が当該ベッドの本体部である限り任意に設計変更することが可能である。本発明の発光部は、ベッドから離れる方向に光を照射し得るように、前記支持部、前記ベース部又は前記下腿載置部に設けられている限り任意に設計変更することが可能である。
【符号の説明】
【０１２０】
１００    大腸内視鏡検査用下腿載置台
１１０    ベース部
１２０    下腿載置部
１３０    支持部
Ｐ        受検者
ＰＡ１    下腿
ＩＰ      検査位置
ＥＰ      退避位置
【図１】
0005779300.tif 000002
【図２】
0005779300.tif 000003
【図３】
0005779300.tif 000004
【図４】
0005779300.tif 000005
【図５】
0005779300.tif 000006
【図６】
0005779300.tif 000007
【図７】
0005779300.tif 000008
【図８】
0005779300.tif 000009
【図９】
0005779300.tif 000010
【図１０】
0005779300.tif 000011
【図１１】
0005779300.tif 000012
【図１２】
0005779300.tif 000013
【図１３】
0005779300.tif 000014
【図１４】
0005779300.tif 000015
【図１５】
0005779300.tif 000016
【図１６】
0005779300.tif 000017
【図１７】
0005779300.tif 000018
【図１８】
0005779300.tif 000019
【図１９】
0005779300.tif 000020
【図２０】
0005779300.tif 000021
【図２１】
0005779300.tif 000022
【図２２】
0005779300.tif 000023
【図２３】
0005779300.tif 000024